(57)【要約】キャップ（１）と、ロックリング（２）とからなり、前記キャップは、使用時に容器（５）の出口側首部（４）の開口（３）と封止可能に係合するよう適合され、さらに前記ロックリングは、使用時に容器の出口側首部を覆って取付けられ且つ第１と第２の位置の間で摺動可能にされており、その結果前記ロックリングは使用時に前記第１の位置にて前記キャップと係合し、それにより前記キャップが容器の開口から離脱するのを防止し、さらに前記第２の位置にて前記ロックリングは（ａ）前記キャップから離脱し、それにより前記キャップが出口側首部の開口から離脱するのを可能にし、さらに前記ロックリングは（ｂ）前記容器の出口側首部の前記第２の位置にて係止される容器の密封装置。
2006521516.tif 000002
【特許請求の範囲】
【請求項１】
キャップと、ロックリングとからなり、前記キャップは使用時に容器の出口側首部の開口と封止可能に係合するよう適合され、さらに前記ロックリングは使用時に容器の出口側首部を覆って取付けられ且つ第１と第２の位置の間で摺動可能にされており、その結果前記ロックリングは使用時に前記第１の位置にて前記キャップと係合し、それにより前記キャップが容器の開口から離脱するのを防止し、さらに前記第２の位置にて前記ロックリングは（ａ）前記キャップから離脱し、それにより前記キャップが出口側首部の開口から離脱するのを可能にし、さらに前記ロックリングは（ｂ）前記容器の出口側首部の前記第２の位置にて係止されることを特徴とする容器の密封装置。
【請求項２】
前記キャップは使用時に前記容器の出口側首部の対応するねじ山と協働するねじ山を有する請求項１に記載の密封装置。
【請求項３】
前記ロックリングとキャップを係合するため１以上のロック用凸部および凹部を有する請求項１または２に記載の密封装置。
【請求項４】
前記キャップは前記ロックリングの対応するロック用凹部と係合するよう適合された１以上のロック用凸部を有し、および／または前記キャップは前記ロックリングの対応するロック用凸部と係合するよう適合された１以上のロック用凹部を有する請求項３に記載の密封装置。
【請求項５】
前記キャップは使用時に前記容器の首部に係合する管状部分を有し、さらに前記キャップは前記管状部分において長手方向が溝状のロック用凹部を有する請求項４に記載の密封装置。
【請求項６】
前記キャップは１以上のプラスチック材料で作られる請求項１乃至５のいずれか１つに記載の密封装置。
【請求項７】
前記キャップは熱可塑性材料と熱可塑性エラストマー材料で作られる請求項６に記載の密封装置。
【請求項８】
前記キャップは２以上のプラスチック材料で順次２色射出成形によって作られる請求項６および７のいずれか１つに記載の密封装置。
【請求項９】
前記ロックリングは１以上、典型的には２から２４、好ましくは２から８、例えば４または６個の外側凸部を有しており、該外側凸部によって前記ロックリングが前記第１の位置から第２の位置へ摺動可能であり、それにより前記キャップから離脱し、さらに前記キャップを前記出口側首部の開口から離脱可能にする請求項１乃至８のいずれか１つに記載の密封装置。
【請求項１０】
前記ロックリングは１以上の協働する係止用凸部および係止用凹部によって前記第２の位置に係止されるよう適合する請求項１乃至９のいずれか１つに記載の密封装置。
【請求項１１】
前記ロックリングは前記容器の出口側首部の対応する係止用凹部と係合するよう適合した１以上の係止用凸部を有し、および／または前記ロックリングは前記容器の出口側首部の対応する係止用凸部と係合するよう適合した１以上の係止用凹部を有する請求項１０に記載の密封装置。
【請求項１２】
前記ロックリングは該リングの屈曲性部分に係止用凸部および／または係止用凹部を有しており、前記屈曲性部分は前記ロックリングが前記第２の位置へ摺動可能に移動されたとき収縮し前記係止用凹部と係止用凸部とを係合させ、それにより前記ロックリングを前記第２の位置に係止する請求項１１に記載の密封装置。
【請求項１３】
前記ロックリングは１以上のプラスチック材料で作られる請求項１乃至１２のいずれか１つに記載の密封装置。
【請求項１４】
請求項１乃至１３のいずれか１つに記載の密封装置を有する容器。
【請求項１５】
潤滑油、特に自動車用の潤滑油、例えば炭化水素または合成潤滑油のような液体を常時収容する請求項１４に記載の容器。
【請求項１６】
燃料添加剤、凍結防止剤、ブレーキ用流体等々のような液体を常時収容する請求項１４に記載の容器。
【発明の詳細な説明】
【発明の詳細な説明】
【０００１】
本発明は、一般には容器用の装置であって、特に容器の密封装置に関する。
【０００２】
容器の密封装置として不正操作できない、および／または不正開封の跡がすぐ分かるような機能を持つものが知られている。そうした機能は安全性の理由から、例えば薬品や有害物質を使用するための容器の密封装置に設けられている。
【０００３】
係止リングを備えたキャップからなる密封装置であって、その係止リングは折れやすいようにキャップに結合され、さらに、ねじってキャップから外れるようになっているものが知られている。そのような密封装置では、キャップから係止リングを外すのに要する力はさまざまであり、ある場合には許容し難いほど高くなることがある。さらに、一旦キャップと係止リングとが離脱すると、密封装置の係止リングは緩んだ取付け状態となり、それゆえ相対的に取り外すことが容易となる。
【０００４】
米国特許第４１４７２６８号明細書は、ねじ山のある首部と鍔とを有する容器に用いられる開封よけの付いた密封装置に関するものである。この密封装置は、屈曲性のあるロック用部材を有しており、同部材は密封装置本体の内側にて折れやすい結合子によって取付けられている。キャップをねじって容器から外す場合、そのロック部材は、密封装置のねじ山の部分から破断され、容器の首部周辺に残るようになっている。
【０００５】
米国特許第４８０５７９１号明細書は、不正操作防止機能を備えたキャップ用のロックリング付バンドに関する。このバンドは、不正操作防止機能を備えたバンドを所定位置に保持する破裂可能なブリッジでロックするようになっており、そのブリッジが破損するとき、ロックリングは、不正操作防止機能を備えたバンドを容器の首部へ落下させるよう作用するものである。示された実施例では、キャップをねじって容器から外したとき破裂可能なブリッジが破損されるようになっている。
【０００６】
英国特許出願公開第１５３１７８３号明細書は、ボトル用の安全な密封装置に関する。このボトルの首部は、その上方部分に１方向のねじ山が設けられ、その下方部分は上方部分より径が大きく、しかも逆方向のねじ山が設けられている。キャップをねじって外すと安全用リングはそのねじ山で下方に締め付けられる。
【０００７】
米国特許第４０９９６３９号明細書は、耐幼児性の密封装置に関する。この密封装置は、一体型の曲げやすい鍔を有する首部を備えた容器として使用される。その鍔部を手で押付けると、内部で係合している突起部とくぼみ部が緩み、容器の首部からのキャップの後退移動を可能にするものである。
【０００８】
米国特許第３８８４３７９号明細書は、ボトルの安全な密封装置に関するものであって、ボトルと封止位置にあるキャップとの間に現れる一方向に係合関係となっているラチェットが、突起部を指で軸方向に押さえつけることにより離脱されるようになっている。
【０００９】
それゆえ、容器のための改良された密封装置に対する需要が残されている。
【００１０】
かくして、本発明によれば、キャップと、ロックリングとからなり、前記キャップは使用時に容器の出口側首部の開口と封止可能に係合するよう適合され、さらに前記ロックリングは使用時に前記容器の出口側首部を覆って取付けられ且つ第１および第２の位置の間で摺動可能とされ、使用時に前記第１の位置では前記ロックリングが前記キャップと係合しそれにより前記キャップが前記容器の開口から離脱するのを防止し、また、前記第２の位置では、前記ロックリングは（ａ）前記キャップから離脱されそれにより前記キャップを前記出口側首部の開口から離脱するのを可能にし、さらに、（ｂ）前記容器の出口側首部の前記第２の位置に係止されるようになっている。
【００１１】
本発明の１つの優位性は、ロックリングの位置が、少なくとも部分的に密封装置が容器から離脱しているか否かについての可視的な証拠を与えることにある。本発明のさらなる優位性は、ロックリングが前記容器の出口側首部上の前記第２の位置に係止されており、それにより容器上の密封装置を新規または代替品と置換することを防止および／または妨げることにある。これらの優位性は、偽造者を諦めさせ、さらに、新規または代替の密封装置と組み合わせて容器を不正に再使用することを抑止し、防止するという利点を有する。しかしながら、一旦ロックリングとキャップが離脱されても、該キャップはロックリングと係合することなしに容器と係合されることができ、それによって該容器の正当な再使用を可能にしている。
【００１２】
前記キャップは、好ましくは、使用時に、容器の出口側首部の対応するねじ山と協働するねじ山を有する。このキャップは、それぞれねじを締めるかまたはねじって外すことにより出口側首部の開口と封止可能に係合、離脱することが可能である。しかしながら、キャップのねじを締めるかまたはねじって外すことができるのはロックリングの位置により決まる。したがって、ロックリングが第１の（ロック）位置にあるときは、該ロックリングはキャップと係合して、それが容器からねじって外されるのを防いでおり、第２の（アンロック）位置では、ロックリングはキャップから離脱し、それにより容器からねじって外されることを可能にしている。
【００１３】
ロックリングは、１個以上の協働するロック用の凸部と凹部とによってキャップと係合および離脱することが可能である。したがって、キャップにはロックリングの対応するロック用の凹部と係合するのに適合した１個以上のロック用凸部を有することが可能である。代わりに、キャップにはロックリングの対応するロック用の凸部と係合するのに適合した１個以上のロック用凹部を有することも可能である。２個以上の、ロック用凸部と対応するロック用凹部がある場合、キャップには１個以上のロック用凸部と１個以上のロック用凹部を有することが可能であり、さらにロックリングは１個以上の対応するロック用凹部および凸部を有することが可能である。
【００１４】
ロックリングは、好ましくは、１個以上、さらに好ましくは、２個以上のロック用凸部を有する。典型的には、ロックリングは２乃至２４個のロック用凸部、好ましくは、２乃至１６個のロック用凸部、例えば４または６個のロック用凸部を有する。そのキャップは対応する数のロック用凹部を有する。
【００１５】
キャップは、好ましくは、使用時に容器の首部と係合する管状部分を有し、さらに好ましくは、その管状部分には長手方向に溝の形をしたロック用凹部を有する。
【００１６】
さらに好ましくは、キャップは、使用時に、容器の出口側首部の対応するねじ山と協働するねじ山を有する管状部分を有する。好ましくは、その管状部分が、容器の出口側首部の外周面の対応するねじ山と協働する内周面のねじ山を有する（いわゆる、“ねじ式キャップ”）。代わりに、その管状部分が、容器の出口側首部の内周面にある対応するねじ山と協働する外周面のねじ山を有する（いわゆる、“ねじ込み式キャップ”）。ロックリングの摺動可能位置にしたがって、このキャップは、それぞれねじを締めるかまたはねじって外すことにより容器の出口側首部の開口と封止可能に係合、離脱することができる。この実施例では、管状部分は、好ましくは、１個以上、典型的には、２乃至２４個の溝部、好ましくは、２乃至１６個の溝部、例えば４または６個の溝部を有し、それらの溝が前記ロックリングの第１の摺動可能な位置においてロックリングの対応するロック用凸部と係合し、それによりキャップが容器の開口から離脱するのを防止している。前記ロックリングの第２の摺動可能な位置においては、キャップの溝がロックリングのロック用凸部から離脱し、それによりキャップがねじって外され且つ容器の出口側首部の開口から離脱することを可能にする。
【００１７】
キャップは、１以上のプラスチック材料で作ることが可能である。適切には、そのプラスチック材料は熱可塑性樹脂、例えばポリプロピレンの単重合体、および／または共重合体からなる。適切なポリプロピレンの共重合体としては、例えば５−１５％のポリエチレンを含有しているプロピレン／エチレン共重合体であることが可能である。キャップは射出成形または圧縮成形を利用して作ることが可能である。
【００１８】
キャップは１以上の異なる色のプラスチック材料で製造することが可能である。
【００１９】
キャップは、１以上のプラスチック材料、例えば熱可塑性材料や熱可塑性高分子弾性体（エラストマー）材料で作ることが可能である。熱可塑性エラストマー材料は屈曲性があり、それにより容器の首部に対してキャップの封止に役立つ。適切な熱可塑性エラストマー材料は、熱可塑性ゴムおよび／または、半ゴム材料からなる。適切な熱可塑性ゴム材料にはアドバンスド・エラストメリック・システムズ社から市販されているSantoprene（登録商標）またはそれと等価物がある。適切には、キャップは重量比で１０−４０％の熱可塑性エラストマー材料を含むことが可能である。キャップを２以上のプラスチック材料で順次２色成形、例えば、第１プラスチック材料（例を挙げるとポリプロピレン熱可塑性共重合体）を金型内へ射出しその後同金型を回転させ、次いで第２プラスチック材料（例を挙げると熱可塑性ゴム材料）を同金型内へ射出することにより作ることが可能である。
【００２０】
キャップは、商標、ロゴまたは他の顕著な特徴を含むように成形することが可能である。キャップは、商標、ロゴまたは他の顕著な特徴を印刷、および／または標識付けが可能である。印刷は紫外線印刷とすることが可能である。標識付けは外部または金型による標識付けとすることが可能である。これらは偽造をさらに抑止するという優位性を有する。キャップは単一色または多色であることが可能である。商標、ロゴまたは他の顕著な特徴はキャップの他の部分と同一の色、および／または材料であってもよく、また、キャップの他の部分と異なる色および／または、材料であってもよい。
【００２１】
キャップはまた、使用時に容器の出口側を封止可能に係合する屈曲性材料の挿入体であるワグ（wag）を有することが可能である。このワグは、屈曲性を有する薄皮で構成することが可能である。このワグは、２以上の層から構成されることが可能である。適切には、このワグは発泡ポリエチレン層とアルミニウム層から構成されることが可能である。アルミニウム層は容器の出口側に対し誘導的に封止されることが可能であり、またさらに、その上に商標、ロゴまたは他の顕著な特徴を有することが可能である。
【００２２】
ねじ込み式キャップの優位性はワグを必要としない点にある。
【００２３】
ロックリングは使用時に前記容器の出口側首部を覆って取付けられるように適合しており、且つ第１および第２の位置の間で摺動可能である。
【００２４】
好ましくは、ロックリングは、前記第１の位置から第２の位置へ摺動可能な１以上の外側凸部を有し、それによりロックリングをキャップから離脱させ、さらにキャップが出口側首部の開口から離脱するのを可能にする。典型的には、ロックリングは２乃至２４個の外側凸部、好ましくは、２乃至８個の外側凸部、例えば４または６個の外側凸部を有する。
【００２５】
ロックリングは、使用時に、摺動可能に第２の位置へ移動されたとき、容器の出口側首部の第２の位置で係止されるように適合している。このことは、ロックリングが容器の出口側首部の第２の位置で係止されているとき、容器の密封装置を新規または代替の密封装置と置換することの抑止、および／または防止を可能にするという優位性を備えるものである。さらに、このことは、偽造者を諦めさせ、さらに、新規または代替の密封装置と組み合わせて容器を不正に再使用することを抑止し、防止するという利点を有する。かくして、係止リングを有するキャップを備えており、その係止リングは折れやすいようにキャップに結合され、さらに、ねじってキャップから外れるようになっている密封装置が知られているが、そのキャップとリングとを離脱させるとき、そうした密封装置のリングは出口側首部により係合されず緩んだ取付け状態となり、したがって、相対的に取り外すことが容易になる。しかしながら、本発明の密封装置は、容器の出口側首部の第２の位置に係止されるロックリングを有し、取り外しを一層難しくしており、それによって、容器を、新規または代替の密封装置で不正な再使用を抑止し妨げるばかりでなく、容器の密封装置を新規または代替の密封装置と置換することを優位に抑止および／または、防止するものである。しかし、一旦ロックリングとキャップとが離脱されると、キャップは、なおロックリングに再係合することなく容器と再係合することが可能である。
【００２６】
好ましくは、ロックリングは、協働する１以上の係止用凸部および凹部によって第２の位置で係止されるように適合することが可能である。かくして、ロックリングは、容器の出口側首部の対応する係止用凹部と係合するのに適合した１以上の係止用凸部を有することが可能である。代わりに、ロックリングは、容器の出口側首部の対応する係止用凸部と係合するのに適合した１以上の係止用凹部を有することも可能である。２以上の係止用凸部と対応する係止用凹部の場合、ロックリングは１以上の係止用凸部と１以上の係止用凹部を有することが可能であり、そして容器は１以上の対応する係止用凹部と係止用凸部とを有することが可能である。
【００２７】
好ましくは、ロックリングは、１以上、好ましくは２以上の係止用凹部を有する。典型的には、ロックリングは２乃至２４個の係止用凹部、好ましくは、２乃至１６個の係止用凹部、例えば４または６個の係止用凹部を有する。容器は対応する数の係止用凸部を有する。
【００２８】
ロックリングが第２の位置へ摺動された場合、このことはロゴや他の顕著な特徴がキャップ、および／または容器上にて見えるようにする。それは密封装置がすでに使用されたことを示唆することを可能にする。
【００２９】
ロックリングが第１の位置にあり且つキャップと係合している場合、係止用凹部と係止用凸部とは少なくとも部分的に係合されており、それによりキャップをねじって容器から外れることを防止する。
【００３０】
本発明のロックリングは、第１の位置でキャップと係合されている場合、容器から材料が漏れ出ること、および／または容器中に汚染物質が入って容器内の材料が汚染することを防止するのに役立つ。
【００３１】
好ましくは、ロックリングは係止用凸部、および／または係止用凹部を同リングの屈曲性部分に有する。この屈曲性部分は、ロックリングが摺動可能に第２の位置へ移動されたとき、前記係止用凸部と対応する係止用凹部とを係合させるよう収縮し、それによりロックリングを第２の位置に係止する。ロックリングの屈曲性部分は、１以上の熱可塑性エラストマー材料で製造することが可能である。適切な熱可塑性エラストマー材料は熱可塑性ゴムおよび／または、半ゴム材料からなる。適切な熱可塑性ゴム材料にはアドバンスド・エラストメリック・システムズ社から市販されているSantoprene（登録商標）またはそれと等価物がある。
【００３２】
ロックリングは、１つ以上のプラスチック材料で作ることが可能である。適切には、そのプラスチック材料は熱可塑性樹脂、例えばポリプロピレンの単重合体および／または、共重合体からなる。適切なポリプロピレンの共重合体としては、例えば５−１５％のポリエチレンを含有しているプロピレン／エチレン共重合体であることが可能である。
【００３３】
ロックリングは射出成形または圧縮成形を利用して製造可能である。
【００３４】
ロックリングは１つ以上の違った色のプラスチック材料で製造することが可能である。
【００３５】
ロックリングは、２以上のプラスチック材料、例えば、熱可塑性材料や熱可塑性エラストマー材料で作ることが可能である。熱可塑性エラストマー材料は屈曲性があり、それにより容器の出口側首部に対向している密封装置の封止に役立つ。適切な熱可塑性エラストマー材料は、熱可塑性ゴムおよび／または、半ゴム材料からなる。適切な熱可塑性ゴム材料にはアドバンスド・エラストメリック・システムズ社から市販されているSantoprene（登録商標）またはそれと等価物がある。ロックリングを２以上のプラスチック材料で順次２色成形、例えば、第１プラスチック材料（例を挙げるとポリプロピレン熱可塑性共重合体）を金型内へ射出しその後同金型を回転させ、次いで第２プラスチック材料（例を挙げると熱可塑性ゴム材料）を同金型内へ射出することにより作ることが可能である。
【００３６】
ロックリングの少なくともある部分に熱可塑性のエラストマー材料を使用することの優位性は、これらが特に外側の凸部に対し滑り止め感覚を与えることが可能であり、密封装置を開封する人が湿った手または油の付いた手の場合は、特に、その密封装置を開封するため前記第１の位置から第２の位置へロックリングを押付けることを容易にすることにある。
【００３７】
かくして、以下の用語は、ここでは次のように用いられる。
ロック用凸部および凹部：ロックリングとキャップとを係合および離脱可能にする凸部および凹部
外側凸部：ロックリングを第１から第２の位置へ摺動させる凸部
係止用凸部および凹部：ロックリングを容器の出口側首部の第２の位置に係止させる凸部および凹部
【００３８】
容器は、出口側首部と開口を有するどんな適合した容器であってもよい。容器は、好ましくは、液体を収容するのに適している。典型的には、容器は、潤滑油、特に自動車用の潤滑油、例えば炭化水素または合成潤滑油のような液体を収容するのに適している。同様に、容器は、燃料添加剤のような有害または危険な薬品、凍結防止剤、ブレーキ用流体等々のような液体を収容するのに適している。
【００３９】
好ましくは、容器はプラスチック材料で作られる。プラスチック材料は、状況に応じて他のポリマーと組み合わせた１以上のポリオレフィンから構成することが可能である。適合するポリオレフィンには高密度のポリエチレンおよびポリプロピレンがある。容器は１以上の色を有することが可能である。容器には標識を付け、および／または、印刷（例えば紫外線印刷）することが可能である。適合する容器のサイズは、１００ｍｌから５０リットル、例えば、１００ｍｌ、２５０ｍｌ、１リットル、５リットルおよび７．５リットルのボトル、さらに、１５リットル、２０リットルおよび５０リットルのドラム缶である。
【００４０】
密封装置と容器には、バッチ処理番号、および／または他の識別マークを付けて、例えば、密封装置および容器隣接部の残余部分の上に前記番号、および／またはマークの一部分を付け、印刷、および／または標識を付けることが可能である。
【００４１】
以下本発明を例示のみにより、図１から図６を参照して説明する。
【００４２】
図面を参照すると、本発明の密封装置は、キャップ（１）とロックリング（２）からなり、そのキャップ（１）は、使用時に、容器（５）の出口側の頸状部（４）(以下単に、首部という)の開口（３）と封止可能に係合するよう適合している。さらに、ロックリング（２）は、使用時に、容器（５）の出口側首部（４）を覆って取付けられ、且つ第１と第２の位置の間で摺動可能になっており、その結果、使用時に第１の位置で、ロックリング（２）は前記キャップ（２）と係合し、それによりキャップ（１）が容器（５）の開口（３）から離脱するのを防止し、さらに、前記第２の位置で、ロックリング（２）はキャップ（１）から離脱し、それにより前記キャップ（１）が出口側首部（４）の開口（３）から離脱するのを可能としている。
【００４３】
キャップは、２以上のプラスチック材料、例えば、熱可塑性材料や熱可塑性エラストマー材料で作ることが可能である。熱可塑性エラストマー材料は屈曲性があり、それにより容器の出口側首部に対向しているキャップの封止に役立つ。キャップの部分（２０）は、熱可塑性エラストマー材料でできており、ユーザの手が湿っていたり、また油が付いていた場合は、特に、改善した握りの実現を容易にする。キャップを２以上のプラスチック材料で順次２色成形、例えば、第１プラスチック材料（例を挙げるとポリプロピレン熱可塑性共重合体）を金型内へ射出しその後同金型を回転させ、次いで第２プラスチック材料（例を挙げると熱可塑性ゴム材料）を同金型内へ射出することにより作ることが可能である。
【００４４】
キャップは商標（１１）を付けて作られる。キャップ（１）は、使用時に、容器（５）の出口側首部（４）の対応するねじ山（８）と協働するねじ山（７）を有する管状部分（６）を有する。ロックリング（２）の摺動可能位置に従って、このキャップ（１）は、それぞれねじを締めるかまたはねじって外すことにより容器（５）の出口側首部（４）の開口（３）と封止可能に係合、離脱することができる。
【００４５】
キャップは、発泡ポリエチレン層とアルミニウム層から構成されるワグ挿入体（２１）を有する。後者（アルミニウム層）は容器の出口側に対し導電的に封止されることが可能である。
【００４６】
管状部分（６）は、溝（９）形状のロック用凹部を有する。このロック用凹部はロックリングの摺動可能な第１の位置（図３に全体として示される）で該ロックリングの対応するロック用凸部（１０）と係合（図２に示すように）し、それによりキャップが容器（５）の開口（３）から離脱するのを防止している。図４で全体として示すように、ロックリングが第２の摺動可能な位置では、キャップの溝（９）は、ロックリングのロック用凸部（１０）から離脱され、それによりキャップをねじって外すことを可能にし（図５で全体として示されるように）、さらに図６で全体として示すように、容器の出口側首部の開口から離脱する。
【００４７】
ロックリングは、該ロックリングをその第１の位置から第２の位置に摺動させるために使用する４個の外側凸部（１２）を有する。
【００４８】
ロックリングは、４個の係止用凹部（１３）（図１と２に示される）を有し、該４個の係止用凹部は、ロックリングが第２の位置へ摺動可能に移動されたとき（図４に示すように）、容器の出口側首部の対応する係止用凸部（１４）と係合する（図３に示される）。
【００４９】
ロックリング（２）の係止用凹部（１３）は、該リングの屈曲性部分（１５）上にある。（図２に示される）この屈曲性部分は、ロックリングが第２の位置に摺動可能に移動されたとき収縮して、前記係止用凹部（１３）と対応する係止用凸部（１４）とが係合するのを可能にし、これにより容器の出口側首部の第２の位置にロックリング（２）を係止する（図５と６で全体として示される）。ロックリングの屈曲性部分（１５）は、１以上の熱可塑性エラストマー材料で作ることが可能である。適切な熱可塑性エラストマー材料は、熱可塑性ゴムおよび／または、半ゴム材料からなる。適切な熱可塑性ゴム材料にはアドバンスド・エラストメリック・システムズ社から市販されているSantoprene（登録商標）がある。ロックリング（２）を１以上のプラスチック材料で作ることが可能である。ロックリングは、２以上のプラスチック材料で順次２色成形、例えば、第１プラスチック材料（例を挙げるとポリプロピレン熱可塑性共重合体）を金型内へ射出しその後同金型を回転させ、次いで第２プラスチック材料（例を挙げると熱可塑性ゴム材料）を同金型内へ射出することにより作ることが可能である。
【００５０】
ロックリング（２）が第１の位置にあり、且つキャップ（１）と係合している場合、係止用凹部（１３）と係止用凸部（１４）とは少なくとも部分的に係合されており、それによりキャップをねじって容器から外れることを防止する。
【００５１】
使用するとき、容器はキャップにより封止されており、ロックリング（２）のロック用凸部（１０）は、図３に全体として示すように、キャップ（１）の管状部分のロック用凹部（溝）（９）に係合する。キャップを取り去って容器を開けるため、ロックリングは、図４に全体として示すように、ロックリング（２）の１個以上の外側凸部（１２）を押し下げることにより第２の位置へ摺動可能に移動される。これは、キャップ（１）の溝（９）とロックリング（２）のロック用凸部（１０）とを離脱させる。また、ロックリングは容器の出口側首部の下方へ摺動可能に移動され、その結果、ロックリング（２）の屈曲性部分（１５）の係止用凹部（１３）が容器の出口側首部の対応する係止用凸部（１４）に係合し、第２の位置でロックリングを係止する。これは、第２の位置に係止されたときロックリングが、容器に取り付けられている密封装置を、新規または代替の密封装置と置換することを抑止、および／または防止するという優位性を有する。さらに、これは、偽造者を諦めさせ、そしてまた、新規または代替の密封装置と組み合わせて容器の不正な再使用を抑止あるいは防止するという利点を有する。
【００５２】
図４から６に示すように、ロックリングが第２の位置にあるとき、ロック用凸部（１０）と溝（９）は離脱しており、そしてキャップ（１）は、図５に全体として示すように、容器の出口側首部から自由にねじって外せるようになっている。かくして、キャップは、容器（５）の出口側首部（４）の開口（３）から離脱され、取り去ることが可能であり、一方、ロックリング（２）は、図５および６に示すように、容器の出口側首部に係止されている。
【００５３】
図に示される容器は液体用使用することが可能である。典型的には、容器は、潤滑油、特に自動車用の潤滑油、例えば炭化水素または合成潤滑油のような液体を収容するのに適している。同様に、容器は、燃料添加剤のような有害または危険な薬品、凍結防止剤、ブレーキ用流体等々のような液体を収容するのに適している。
【図面の簡単な説明】
【００５４】
【図１】本発明によるキャップとロックリングとを全体を分解して示す。
【図２】本発明によるキャップとロックリングとを全体を組み付けて示す。
【図３】キャップが容器の出口側首部の開口を封止しており、さらにロックリングが第１の摺動可能な位置にある本発明による密封装置を備えた容器の全体図を示す。
【図４】ロックリングが第２の摺動可能な位置にある本発明による密封装置を備えた容器の全体図を示す。
【図５】ロックリングが第２の摺動可能な位置にあり、且つキャップが容器の出口側首部の開口から離脱している本発明による密封装置を備えた容器の全体図を示す。
【図６】ロックリングが第２の摺動可能な位置にあり、且つキャップが容器の出口側首部の開口から取り去られた本発明による密封装置を備えた容器の全体図を示す。
【図１】
2006521516.tif 000003
【図２】
2006521516.tif 000004
【図３】
2006521516.tif 000005
【図４】
2006521516.tif 000006
【図５】
2006521516.tif 000007
【図６】
2006521516.tif 000008
【国際調査報告】
2006521516.tif 000009
2006521516.tif 000010
2006521516.tif 000011